(57)【特許請求の範囲】
【請求項１】
通話路ハイウェイを有する交換機と、
前記交換機に接続され、多数のコンピュータ端末を接続するコンピュータネットワークと、
前記コンピュータネットワークと前記通話路ハイウェイとの間に接続され、前記コンピュータネットワークを流れる第１形式のデータと前記通話路ハイウェイを流れる第２形式のデータの形式を相互に変換する形式変換手段とを具備し、
少なくとも１つの前記コンピュータ端末は、前記コンピュータネットワークを介して前記交換機との間で制御データと通信データとの送受信を行なうための通信手段を具備し、
前記交換機は、
コンピュータ端末に付されたコンピュータネットワーク用のアドレスと当該コンピュータ端末が前記コンピュータネットワークを介して接続される形式変換手段との対応関係を表わす第１のテーブルと、
前記形式変換手段と当該形式変換手段に接続される通話路ハイウェイとの対応関係を表わす第２のテーブルとを具備し、
前記第１、第２のテーブルに基づいて前記コンピュータ端末に係わる交換制御を行なうことを特徴とする通信システム。
【請求項２】
複数のタイムスロットからなる通話路ハイウェイを有する交換機と、
前記交換機に接続され、多数のコンピュータ端末を接続するコンピュータネットワークと、
コンピュータ端末に付されたコンピュータネットワーク用のアドレスと通話路ハイウェイのタイムスロット番号との対応関係を表わすテーブルを具備し、前記テーブルを用いてコンピュータネットワークと通話路ハイウェイとの間のデータ通信を制御する交換制御手段と、
を具備する通信システム。
【請求項３】
交換機と、
前記交換機に接続され、多数のコンピュータ端末を接続するコンピュータネットワークと、
前記コンピュータネットワークと前記通話路ハイウェイとの間に接続される変換手段とを具備し、
前記交換機は、
複数のタイムスロットが時分割多重されてなる複数の通話路ハイウェイと、
前記複数の通話路ハイウェイを交換するタイムスイッチとを具備し、
この通話路ハイウェイの各タイムスロットは前記コンピュータネットワークにより伝送される複数のデータ種類のいずれかに割り当てられており、
前記変換手段は、
伝送データの種類に応じた通話路ハイウェイのタイムスロットに前記コンピュータネットワークのコンピュータ端末を接続する手段と、
前記コンピュータネットワークを流れる第１形式のデータと前記通話路ハイウェイを流れる第２形式のデータの形式を相互に変換する形式変換手段とを具備し、
少なくとも１つの前記コンピュータ端末は、前記コンピュータネットワークを介して前記交換機との間で制御データと通信データとの送受信を行なうための通信手段と、前記通信データの種類に応じた空きタイムスロットを前記コンピュータ端末に接続する手段とを具備する通信システム。
【請求項４】
コンピュータネットワークに接続される複数のコンピュータ端末と、
前記コンピュータネットワークを流れる第１形式のデータと公衆網のディジタル回路を流れる第２形式のデータの形式を相互に変換する形式変換手段とを具備し、
前記コンピュータネットワークに接続された少なくとも１つの前記コンピュータ端末は、
前記少なくとも１つのコンピュータ端末が公衆網に接続された他のコンピュータ端末と通信する時に前記形式変換手段とコンピュータネットワークとを介して公衆網のディジタル回路との間で制御データと通信データとの送受信を行なうための通信手段を具備し、
通話路ハイウェイの各タイムスロットは前記コンピュータネットワークにより伝送される複数のデータ種類のいずれかに割り当てられており、
前記形式変換手段は、
複数のタイムスロットが時分割多重されてなる複数の通話路ハイウェイと、
前記複数の通話路ハイウェイを交換するタイムスイッチと、
前記コンピュータネットワークと１つの通話路ハイウェイとの間に接続され前記コンピュータネットワークのコンピュータ端末を伝送されるデータの種類に応じて通話路ハイウェイのタイムスロットに接続する手段と、
各々が前記通話路ハイウェイの１つのタイムスロットに接続され、伝送されるデータの種類に応じた通信機能を有する複数のインターフェース手段と、
伝送されるデータの種類に応じた前記コンピュータ端末に空きタイムスロットを接続する手段とを具備する通信システム。
【請求項５】
コンピュータネットワークに接続され、複数の種類のデータを通信することができる通信システムにおいて、
前記複数の種類のいずれかに割り当てられている複数のタイムスロットが時分割多重されてなる複数の通話路ハイウェイと、複数の通話路ハイウェイを交換するタイムスイッチとを具備する交換機と、
前記コンピュータネットワークと前記複数の通話路ハイウェイの１つとの間に接続され、前記コンピュータネットワークの中の１つのコンピュータ端末を通話路ハイウェイの中のデータの種類に応じたタイムスロットに接続するインターフェース手段とを具備し、
前記インターフェース手段は、
通話路ハイウェイの複数のタイムスロットのいずれかに接続され、通信するデータの種類に応じた通信機能を有する複数のインターフェース回路と、
通信するデータの種類に応じた、空いているタイムスロットを前記コンピュータ端末に接続する制御手段とを具備する通信システム。
【請求項６】
複数の種類のデータを通信することができる複数のコンピュータ端末からなるコンピュータネットワークに接続される交換機において、
前記複数の種類のいずれかに割り当てられている複数のタイムスロットが時分割多重されてなる複数の通話路ハイウェイと、
前記複数の通話路ハイウェイを交換するタイムスイッチと、
前記コンピュータネットワークの中の１つのコンピュータ端末を前記複数の通話路ハイウェイの１つのデータの種類に応じたタイムスロットに接続するインターフェース手段とを具備し、
前記インターフェース手段は、
通話路ハイウェイの複数のタイムスロットのいずれかに接続され、通信するデータの種類に応じた通信機能を有する複数のインターフェース回路と、
通信するデータの種類に応じた、空いているタイムスロットを前記コンピュータ端末に接続する手段とを具備する交換機。
【請求項７】
複数の種類のデータを通信することができる複数のコンピュータ端末からなるコンピュータネットワークに接続される交換機において、
前記複数の種類のいずれかに割り当てられている複数のタイムスロットが時分割多重されてなる複数の通話路ハイウェイと、
前記複数の通話路ハイウェイを交換するタイムスイッチと、
前記コンピュータネットワークの中の１つのコンピュータ端末を前記複数の通話路ハイウェイの１つのデータの種類に応じたタイムスロットに接続するインターフェース手段とを具備し、
前記コンピュータ端末は１つの電話番号とともに、通信するデータの種類毎のアドレスを具備し、
前記インターフェース手段は、コンピュータ端末のデータの種類毎のアドレスを示す第１の表と、タイムスロット毎の接続されているコンピュータ端末のアドレスを示す第２の表とを具備する交換機。
【発明の詳細な説明】
【０００１】
【発明の属する技術分野】
本発明は、パーソナルコンピュータ等のコンピュータ端末を利用して電話通信やファクシミリ送信等を行なう通信システム及び交換機に関する。
【０００２】
【従来の技術】
このような装置の従来例としては、パーソナルコンピュータのＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）  カードスロットにファックスカード、モデムカード等を接続して、コンピュータを直に加入者線に接続するものがある。
【０００３】
この装置の場合、ファクシミリ送信やデータ通信等の機能毎にカードを用意する必要があり、機能を変えるにはＰＣＭＣＩＡカードを取り換えなければならず、単機能のシステムであるといえる。また、加入者線を１台のコンピュータが独占してしまう欠点がある。
【０００４】
他方、複数のコンピュータをローカルエリアネットワーク（イントラネット）に接続し、ファクシミリ機能を有するゲートウェイ、あるいはデータ通信機能を有するゲートウェイを介して公衆網（ＰＳＴＮ）へ接続するものもある。ここでは、複数の端末がゲートウェイに接続されているので、これらの端末から別個に発信でき、加入者線を見かけ上共有できる。しかし、各コンピュータ毎に電話番号が割り振られている訳ではないので、公衆網から各コンピュータ宛に直接には通信を行うことは出来ず、真の意味での加入者線の共有が実現されていない。また、ゲートウェイもＰＣＭＣＩＡカードと同様に機能毎に用意する必要があり、このシステムも単機能である。
【０００５】
このように従来の通信システムでは、コンピュータが有している種々の通信機能を加入者線、あるいは内線を介して利用するためには、大型の複雑な設備を必要とし、コンピュータが有している種々の通信機能が充分活用されていなかった。
【０００６】
【発明が解決しようとする課題】
本発明は上述した事情に対処すべくなされたもので、その目的はコンピュータネットワークと加入者線、あるいは内線とを接続し、コンピュータ端末が公衆網、あるいは内線回線網を介して他の通信端末と通信することができる通信システムを提供することにある。
【０００７】
本発明の他の目的は、加入者線を複数のコンピュータ端末が共有できるとともに、１台のコンピュータ端末を多種類の通信サービス端末として使うことができる通信システムを提供することである。
【０００８】
本発明のさらに他の目的は、自身が収納する通話路ハイウェイにコンピュータネットワークを接続して、コンピュータ端末に対する交換動作を行うことができ、コンピュータ端末を通話路ハイウェイに接続されている他の内線端末、あるいは公衆網を介して通話路ハイウェイに接続されている他の通信端末と同等に扱うことができる構内交換機を提供することである。
【０００９】
【課題を解決するための手段】
本発明による通信システムは、通話路ハイウェイを有する交換機と、前記交換機に接続され、多数のコンピュータ端末を接続するコンピュータネットワークと、前記コンピュータネットワークと前記通話路ハイウェイとの間に接続され、前記コンピュータネットワークを流れる第１形式のデータと前記通話路ハイウェイを流れる第２形式のデータの形式を相互に変換する形式変換手段とを具備し、少なくとも１つの前記コンピュータ端末は、前記コンピュータネットワークを介して前記交換機との間で制御データと通信データとの送受信を行なうための通信手段を具備し、前記交換機は、コンピュータ端末に付されたコンピュータネットワーク用のアドレスと当該コンピュータ端末が前記コンピュータネットワークを介して接続される形式変換手段との対応関係を表わす第１のテーブルと、前記形式変換手段と当該形式変換手段に接続される通話路ハイウェイとの対応関係を表わす第２のテーブルとを具備し、前記第１、第２のテーブルに基づいて前記コンピュータ端末に係わる交換制御を行なうものである。
【００１０】
本発明による他の通信システムは、複数のタイムスロットからなる通話路ハイウェイを有する交換機と、前記交換機に接続され、多数のコンピュータ端末を接続するコンピュータネットワークと、コンピュータ端末に付されたコンピュータネットワーク用のアドレスと通話路ハイウェイのタイムスロット番号との対応関係を表わすテーブルを具備し、前記テーブルを用いてコンピュータネットワークと通話路ハイウェイとの間のデータ通信を制御する交換制御手段とを具備するものである。
【００１１】
本発明により他の通信システムは、交換機と、前記交換機に接続され、多数のコンピュータ端末を接続するコンピュータネットワークと、前記コンピュータネットワークと前記通話路ハイウェイとの間に接続される変換手段とを具備し、前記交換機は、複数のタイムスロットが時分割多重されてなる複数の通話路ハイウェイと、前記複数の通話路ハイウェイを交換するタイムスイッチとを具備し、この通話路ハイウェイの各タイムスロットは前記コンピュータネットワークにより伝送される複数のデータ種類のいずれかに割り当てられており、前記変換手段は、伝送データの種類に応じた通話路ハイウェイのタイムスロットに前記コンピュータネットワークのコンピュータ端末を接続する手段と、前記コンピュータネットワークを流れる第１形式のデータと前記通話路ハイウェイを流れる第２形式のデータの形式を相互に変換する形式変換手段とを具備し、少なくとも１つの前記コンピュータ端末は、前記コンピュータネットワークを介して前記交換機との間で制御データと通信データとの送受信を行なうための通信手段と、前記通信データの種類に応じた空きタイムスロットを前記コンピュータ端末に接続する手段とを具備するものである。
【００１２】
本発明による他の通信システムは、コンピュータネットワークに接続される複数のコンピュータ端末と、前記コンピュータネットワークを流れる第１形式のデータと公衆網のディジタル回路を流れる第２形式のデータの形式を相互に変換する形式変換手段とを具備し、前記コンピュータネットワークに接続された少なくとも１つの前記コンピュータ端末は、前記少なくとも１つのコンピュータ端末が公衆網に接続された他のコンピュータ端末と通信する時に前記形式変換手段とコンピュータネットワークとを介して公衆網のディジタル回路との間で制御データと通信データとの送受信を行なうための通信手段を具備し、通話路ハイウェイの各タイムスロットは前記コンピュータネットワークにより伝送される複数のデータ種類のいずれかに割り当てられており、前記形式変換手段は、複数のタイムスロットが時分割多重されてなる複数の通話路ハイウェイと、前記複数の通話路ハイウェイを交換するタイムスイッチと、前記コンピュータネットワークと１つの通話路ハイウェイとの間に接続され前記コンピュータネットワークのコンピュータ端末を伝送されるデータの種類に応じて通話路ハイウェイのタイムスロットに接続する手段と、各々が前記通話路ハイウェイの１つのタイムスロットに接続され、伝送されるデータの種類に応じた通信機能を有する複数のインターフェース手段と、伝送されるデータの種類に応じた前記コンピュータ端末に空きタイムスロットを接続する手段とを具備するものである。
本発明の他の通信システムは、コンピュータネットワークに接続され、複数の種類のデータを通信することができる通信システムにおいて、前記複数の種類のいずれかに割り当てられている複数のタイムスロットが時分割多重されてなる複数の通話路ハイウェイと、複数の通話路ハイウェイを交換するタイムスイッチとを具備する交換機と、前記コンピュータネットワークと前記複数の通話路ハイウェイの１つとの間に接続され、前記コンピュータネットワークの中の１つのコンピュータ端末を通話路ハイウェイの中のデータの種類に応じたタイムスロットに接続するインターフェース手段とを具備し、前記インターフェース手段は、通話路ハイウェイの複数のタイムスロットのいずれかに接続され、通信するデータの種類に応じた通信機能を有する複数のインターフェース回路と、通信するデータの種類に応じた、空いているタイムスロットを前記コンピュータ端末に接続する制御手段とを具備するものである。
本発明による交換機は、複数の種類のデータを通信することができる複数のコンピュータ端末からなるコンピュータネットワークに接続される交換機において、前記複数の種類のいずれかに割り当てられている複数のタイムスロットが時分割多重されてなる複数の通話路ハイウェイと、前記複数の通話路ハイウェイを交換するタイムスイッチと、前記コンピュータネットワークの中の１つのコンピュータ端末を前記複数の通話路ハイウェイの１つのデータの種類に応じたタイムスロットに接続するインターフェース手段とを具備し、前記インターフェース手段は、通話路ハイウェイの複数のタイムスロットのいずれかに接続され、通信するデータの種類に応じた通信機能を有する複数のインターフェース回路と、通信するデータの種類に応じた、空いているタイムスロットを前記コンピュータ端末に接続する手段とを具備するものである。
本発明による他の交換機は、複数の種類のデータを通信することができる複数のコンピュータ端末からなるコンピュータネットワークに接続される交換機において、前記複数の種類のいずれかに割り当てられている複数のタイムスロットが時分割多重されてなる複数の通話路ハイウェイと、前記複数の通話路ハイウェイを交換するタイムスイッチと、前記コンピュータネットワークの中の１つのコンピュータ端末を前記複数の通話路ハイウェイの１つのデータの種類に応じたタイムスロットに接続するインターフェース手段とを具備し、前記コンピュータ端末は１つの電話番号とともに、通信するデータの種類毎のアドレスを具備し、前記インターフェース手段は、コンピュータ端末のデータの種類毎のアドレスを示す第１の表と、タイムスロット毎の接続されているコンピュータ端末のアドレスを示す第２の表とを具備するものである。
【００１３】
【発明の実施の形態】
以下図面を参照して本発明による通信システムの実施の形態を説明する。
（第１実施形態）
図１は第１実施形態の概略構成を示すブロック図であり、ここでは、中・大規模の構内交換機１０を使用し、これを介してコンピュータネットワーク１６を公衆網１２、あるいは内線端末１４に接続し、複数のコンピュータが加入者線を共有するとともに、１つのシステムで種々のデータ通信を行うシステムを示している。コンピュータネットワーク１６は１つのイントラネットとしてのローカルエリアネットワーク（以下、ＬＡＮと称する）から構成してもよいし、複数のＬＡＮをインターネットによって広域に接続して構成してもよい。すなわち、複数のコンピュータはイントラネットにより狭域で接続されていてもよいし、インターネットにより広域で接続されていてもよい。
【００１４】
構内交換機１０は交換機能を実現するタイムスイッチ２６と、コンピュータネットワーク１６との間で信号の授受を行なうＬＡＮインターフェース３０と、公衆網１２に接続される加入者線トランク２０と、内線端末１４に接続される内線トランク２２と、ＬＡＮインターフェース３０を介してコンピュータネットワーク１６に接続される回線／パケット変換器２４と、各トランク回路２０，２２、変換器２４、タイムスイッチ２６に接続されるＣＰＵ（ＲＯＭ，ＲＡＭを内蔵する）２８とを有する。ＣＰＵ２８のＲＯＭには後述する表１〜表３が格納される。ただし、ＬＡＮインターフェース３０と、回線／パケット変換器２４とはＰＢＸ１０の筐体内ではなく、別体として設けてもよい。
【００１５】
トランク回路２０，２２、変換器２４は通話路ハイウェイを介してタイムスイッチ２６に接続される。このため、回線／パケット変換器２４はあたかもＰＢＸ１０内の１つのトランク回路とみなされ、コンピュータネットワーク１６に含まれるコンピュータ端末はあたかも１つの内線端末、公衆網に接続される１つの通信端末とみなされる。通話路ハイウェイは複数チャネルを有し、例えば、各６４ｋｂｐｓの３２チャネル（タイムスロット）のデータを時分割多重し２Ｍｂｐｓの伝送能力を有する。
【００１６】
図２は図１の公衆網、内線回線網の部分を詳細に示す図である。公衆網１２には電話機３２、ファクシミリ機３４、パーソナルコンピュータに接続されるデータ伝送用のモデム３６等が接続される。公衆網１２はＩＳＤＮ（Ｉｎｔｅｇｒａｔｅｄ  Ｓｅｒｖｉｃｅｓ  Ｄｉｇｉｔａｌ  Ｎｅｔｗｏｒｋ）  加入者線トランク２０ａ、アナログ加入者線トランク２０ｂを介してタイムスイッチ２６に接続される。電話機３２としては、標準電話機、ディジタル電話機等がある。なお、通信機能を有する（モデムを内蔵する）パーソナルコンピュータは公衆網１２に直に接続される。
【００１７】
内線端末１４としては、電話機１４ａ、ファクシミリ機１４ｂ、ＰＨＳ基地局１４ｃ等がある。基地局１４ｃはＰＨＳ端末１４ｄと無線通信する。内線端末としての電話機１４ａ、ファクシミリ機１４ｂ、ＰＨＳ基地局１４ｃはそれぞれＩＳＤＮ内線トランク２２ａ、アナログ内線トランク２２ｂ、ＰＨＳ内線トランク２２ｃを介してタイムスイッチ２６に接続される。
【００１８】
図３は図１のコンピュータネットワークの部分を詳細に示す図である。コンピュータネットワーク１６は例えば光伝送路または同軸伝送路をループ状に接続したインターネット４６と、このインターネット４６にそれぞれルータ／ゲートウエイ４４ａ，４４ｂ、…を介して接続される複数の（ここでは、２つの）ＬＡＮ（イントラネット）４２ａ，４２ｂからなる。本発明では、ＬＡＮとしてはイーサネット（Ｅｔｈｅｒｎｅｔ）方式が採用され、各コンピュータ端末はＴＣＰ（Ｔｒａｎｓｍｉｓｓｉｏｎ  Ｃｏｎｔｒｏｌ  Ｐｒｏｔｏｃｏｌ）  ／ＩＰ（Ｉｎｔｅｒｎｅｔ  Ｐｒｏｔｏｃｏｌ）  通信を行うとする。しかし、従来のコンピュータ端末とは異なり、ＩＰ／ＴＣＰアドレス以外にも、通常の電話機と同じように加入者番号（電話番号）を持っているとする。
【００１９】
各ＬＡＮ４２には複数のコンピュータ端末（パーソナルコンピュータ、ワークステーション等）５０が接続される。ＬＡＮ４２はＬＡＮインターフェース３０を介して回線／パケット変換器２４に接続される。なお、ＬＡＮに接続される回線／パケット変換器２４の数は１つに限らない。また、１つのＬＡＮ毎の回線／パケット変換器の数は単数に限らず、複数でもよい。ここでは、ＬＡＮ４２ａには２つの回線／パケット変換器２４ａ，２４ｂが接続される。以下、説明の便宜上、回線／パケット変換器２４ａ，２４ｂを第１、第２の変換器ＣＶ１，ＣＶ２とし、ＬＡＮ４２ｂに接続される回線／パケット変換器２４ｃを第３の変換器ＣＶ３とする。
【００２０】
回線／パケット変換器２４ａ，２４ｂ，２４ｃはＬＡＮ４２ａ，４２ｂを介してコンピュータ端末５０ａ〜５０ｆから伝送されたパケットデータをＰＢＸ１０内の通話路ハイウェイＨＷ１，ＨＷ２，ＨＷ３上で伝送するためのＨＷデータに変換するとともに、通話路ハイウェイＨＷ１，ＨＷ２，ＨＷ３を介してＰＢＸ１０から伝送されたデータ（回線データ）をＬＡＮ４２ａ，４２ｂ上で伝送するためのパケットデータに変換する機能を有している。
【００２１】
図４は１つの回線／パケット変換器２４ｉの詳細を示すブロック図である。タイムスイッチ２６に接続される２Ｍｂｐｓの通話路ハイウェイＨＷｉがマルチプレクサ／デマルチプレクサ６０に接続される。このため、通話路ハイウェイから供給される２Ｍｂｐｓのデータが３２のタイムスロット毎に各６４ｋｂｐｓのデータに分離される。図５（ａ）は通話路ハイウェイのタイムスロットを示すタイミングチャート、図５（ｂ）は各タイムスロットのデータを示すタイミングチャートである。
【００２２】
各タイムスロットのデータがそれぞれベアラ回路に供給され、パケット化される。ここでは、タイムスロットＴＳ００〜ＴＳ０７のデータが音声ベアラ回路６２に、タイムスロットＴＳ０８〜ＴＳ１５のデータがＶ．１１０データベアラ回路６４に、タイムスロットＴＳ１６〜ＴＳ１９のデータがＰＨＳデータベアラ回路６６に、タイムスロットＴＳ２０〜ＴＳ２３のデータがモデムデータベアラ回路６８に、タイムスロットＴＳ２４〜ＴＳ２７のデータがＧ３ファクスデータベアラ回路７０に、タイムスロットＴＳ２８〜ＴＳ３２のデータがＬＡＰＢ  Ｇ４ファクスデータベアラ回路７２にそれぞれ供給される。これらのベアラ回路６２，６４，６６，６８，７０，７２はＩＳＤＮのベアラサービス（回線交換モード・ベアラサービス）で規定されているものの一部であり、音声ベアラは６４ｋｂｐｓ音声ベアラサービス、Ｖ．１１０データベアラは６４ｋｂｐｓ非制限ベアラサービス、ＰＨＳベアラは３２ｋｂｐｓ非制限ベアラサービス、モデムデータベアラ、及びＧ３ファクシミリデータは６４ｋｂｐｓ／３．１ｋ  Ｈｚ音声ベアラサービス、Ｇ４ファクシミリデータは６４ｋｂｐｓ非制限ベアラサービスと呼称される。
【００２３】
ベアラ回路６２，６４，６６，６８，７０，７２はＬＡＮドライバ７４に接続され、パケットに宛先ヘッダ等が付加されてＬＡＮインターフェース３０ｉに供給される。ＣＰＵ２８はＬＡＮドライバ７４に接続される。
【００２４】
図６は音声ベアラ回路６２のブロック図、図７はモデムベアラ回路６８、あるいはＧ３ファクスベアラ回路７０のブロック図である。
音声ベアラ回路６２はマルチプレクサ／デマルチプレクサ６０に接続されるシリアル／パラレル変換器８０、シリアル／パラレル変換器８０から出力される８ビットの直列データがバッファ８２ａ、パケット化回路８４ａを介してＬＡＮドライバ７４に供給される。一方、ＬＡＮから供給されたパケットデータはパケット分離回路８４ｂで直列データとされた後、バッファ８２ｂを介してシリアル／パラレル変換器８０に供給される。シリアル／パラレル変換器８０から出力される並列データはマルチプレクサ／デマルチプレクサ６０に供給される。
【００２５】
モデムベアラ回路６８、あるいはＧ３ファクスベアラ回路７０はマルチプレクサ／デマルチプレクサ６０に接続されるディジタル／アナログ変換器８６と、データモデム、あるいはファックスモデム８８からなる。データモデム、あるいはファックスモデム８８はＬＡＮドライバ７４に接続される。
【００２６】
図８はコンピュータネットワーク１６上の伝送パケットの構成を示す図である。音声データの場合は、同図（ａ）に示すように、ＵＤＰアドレスからなるヘッダに、送信時刻を示すタイムスタンプ、音声データパケット、誤り訂正のためのＣＲＣが後続する。音声以外、例えば文字データの場合は、同図（ｂ）に示すように、ＴＣＰアドレスからなるヘッダに、文字データパケット、誤り訂正のためのＣＲＣが後続する。
【００２７】
図９は１つのコンピュータ端末９８ｉのブロック図である。この端末９８ｉはＬＡＮ４２ｉに接続される本体９８ｉと、電話通信のための音声データを入力するマイクロフォン１１４ｉ、伝送されてきた音声データを再生するスピーカ１１２ｉ、ファックスやＴＶ電話機能のための高解像度ビデオディスプレイ１２２ｉとを有する。本体９８ｉはＣＰＵ１００、ＲＯＭ／ＢＩＯＳ１０２、ＲＡＭ１０４、ハードディスク装置１０６、フロッピーディスク装置１０８、音声インターフェース１１０、マウスインターフェース１１６、キーボードインターフェース１１８、高解像度ビデオインターフェース１２０、ＬＡＮインターフェース１２４を具備する。ただし、全部の端末が上述した音声通信機能、静止画データを入出力するファクシミリ通信機能、動画データを入出力するテレビジョン会議機能を有する必要はなく、端末毎に機能は適宜選択されている。
【００２８】
第１実施形態の動作を説明する。前述したように、ＬＡＮとしてはＥｔｈｅｒｎｅｔ方式が採用され、各コンピュータ端末はＴＣＰ／ＩＰ通信を行う。ＴＣＰを補うものとして、ＵＤＰ（Ｕｓｅｒ  Ｄａｔａｇｒａｍ  Ｐｒｏｔｏｃｏｌ）がある。ＩＰは伝送経路の確立やネットワークアドレスとホストアドレスの定義によるネットワークの論理的管理を行う。個々の端末には３２ビットのＩＰアドレスが割り当てられる。ＩＰアドレスの表記は、１バイト（８ビット）を単位として１０進数に変換し、１０進数をピリオドで区切って表現する。ＴＣＰやＵＤＰはポート番号で管理される。
【００２９】
本実施形態ではＰＢＸ１０内のＣＰＵ２８は、各コンピュータ端末の内線番号と呼種別（通信データの種類）毎のＩＰアドレスの対応表（表１）を記憶している。ここで、各端末には同一のＩＰアドレスが割り当てられるが、呼種別毎に異なるポートアドレスが割り当てられ、通信データの種類毎に異なるアドレスが割り当てられている。前述したようにＩＰアドレスのＡ，Ｂ，Ｃ，Ｄ等はそれぞれ１０進数を示す。
【００３０】
また、本発明では、回線／パケット変換器２４と、これに接続されるコンピュータ端末５０は同一のＬＡＮ上に割り当てたが、伝送遅延等の通信に支障が生じない限り、変換器２４とコンピュータ端末をインターネット４６を介して接続し、他のＬＡＮ上にあるコンピュータ端末を内線として割り当てて収納してもよい。
【００３１】
【表１】
0003614991.tif 000002
【００３２】
また、図３にも示したように複数の回線／パケット変換器が１つのＬＡＮに接続されている場合もあるので、ＣＰＵ２８はどのコンピュータ端末（ＩＰアドレス）がどの回線／パケット変換器に接続（収納）されているかを示す表２も記憶している。
【００３３】
【表２】
0003614991.tif 000003
【００３４】
本実施形態の動作としては、コンピュータ端末が発呼端末になる場合と、着呼端末になる場合の２通りの場合があるが、先ず、ＬＡＮ４２ａ，４２ｂに接続されているいずれかのコンピュータ端末（ここでは、５０ａとする）からＩＳＤＮ内線に接続された電話機１４ａに対して発呼し、両者間で音声通信を行なう場合を説明する。
【００３５】
コンピュータ端末５０ａ（内線番号３０１）においてユーザが発呼操作を行なうと、このコンピュータ端末５０ａでは先ずＩＳＤＮにおけるレイヤ３で規定されている呼制御手順におけるＱ９３１相当の発呼パケットを生成する。発呼パケットは発呼端末と宛先と呼種類を示す情報を有する。この発呼パケットはＬＡＮ４２ａからＬＡＮインターフェース３０ａ、変換器（ＣＶ１）２４ａ内のＬＡＮドライバ７４を介してＰＢＸ１０内のＣＰＵ２８に供給される。
【００３６】
ＣＰＵ２８は、表１を用いてこの発呼パケットに含まれている発呼端末の電話番号および呼種別（ここでは、音声）からＩＰアドレス／ポートアドレスを検索する。ここでは、Ａ．Ｂ．Ｃ．Ｄ１／ＴＣＰ１が検出される。次に、ＣＰＵ２８は、表２を用いてこのＩＰアドレスが収納されている回線／パケット変換器を検索する。ここでは、ＣＶ１，ＣＶ２が検出される。
【００３７】
また、ＣＰＵ２８は、各回線／パケット変換器毎の接続状況表を有しており、一例として変換器ＣＶ１に関する接続状況表を表３に示す。接続状況表は変換器に接続される通話路ハイウェイのタイムスロット番号ＴＳ００〜ＴＳ３１毎の接続状況を記述したものである。
【００３８】
【表３】
0003614991.tif 000004
【００３９】
ＣＰＵ２８は変換器ＣＶ１の接続状況表から音声通信が可能であり、空いているタイムスロットを求め（ここでは、タイムスロットＴＳ００）、接続欄に発呼元のコンピュータ端末５０ａのＩＰアドレス／ポートアドレス（Ａ．Ｂ．Ｃ．Ｄ１／ＵＤＰ１）を記入し、回線／パケット変換器ＣＶ１に通話路ハイウェイＨＷ１のタイムスロットＴＳ００を音声パケットと接続させるよう指示する。したがって、回線／パケット変換器ＣＶ１では、以後、接続状況表（表３）に従って通話路ハイウェイのタイムスロットとＴＳ００と発呼元コンピュータ端末５０ａとの間で音声データの変換が可能となる。
【００４０】
また、このときＣＰＵ２８は、発呼元のコンピュータ端末５０ａに対して、音声パケットの送り先として回線／パケット変換器ＣＶ１のＩＰアドレス（例えば、Ａ，Ｂ，Ｃ，Ｄ６）を指定して、音声を送受するように指示する。
【００４１】
もし、変換器ＣＶ１の音声通信用のタイムスロットＴＳ００〜ＴＳ０７が全て接続済みの場合は、発呼端末５０ａは表２に示すように他の変換器ＣＶ２を使うことができる。表３は、変換器ＣＶ１の３２のタイムスロットのうち、タイムスロットＴＳ００を使ってコンピュータ端末５０ａが音声通信を行い、タイムスロットＴＳ０１を使ってコンピュータ端末５０ｂが音声通信を行い、タイムスロットＴＳ０８を使ってコンピュータ端末５０ａがＶ．１１０データ通信を行い、タイムスロットＴＳ１６を使ってコンピュータ端末５０ａがＰＨＳ通信を行い、タイムスロットＴＳ１７を使ってコンピュータ端末５０ｃがＰＨＳ通信を行い、タイムスロットＴＳ２０を使ってコンピュータ端末５０ａがモデムデータ通信を行い、タイムスロットＴＳ２４を使ってコンピュータ端末５０ａがＧ３ファックス通信を行い、タイムスロットＴＳ２８を使ってコンピュータ端末５０ａがＧ４ファックス通信を行っていることを表す。接続先が”ＮＯＮＥ”となっているスロットは空いていることを示す。このように、各端末には機能（呼種類）毎に異なるポートアドレスが割り振られているので、同一の端末が同時に複数の種類の通信を行うことができる。また、同一の変換器に収納されている複数の端末が時分割多重的に同時に通信を行うことができる。
【００４２】
もしも、端末が接続されている全部の変換器の該当する呼種別のタイムスロットが全て塞がっている場合は、切断要求するために、Ｑ９３１相当の切断パケットを発呼元のコンピュータ端末５０ａに返送し、待機状態に復帰する。
【００４３】
こうして発呼元のコンピュータ端末５０ａが回線／パケット変換器ＣＶ１を介して通話路ハイウェイＨＷ１に接続されると、構内交換機１０は着呼先のディジタル電話機１４ａに対し呼出信号を送出する。また、発呼元のコンピュータ端末５０ａに対してはタイムスイッチ２６を経由して呼出音（リングバックトーン）を送出する。この呼出音は、通話路ハイウェイＨＷ１を通して回線／パケット変換器ＣＶ１へ送られた後、この変換器ＣＶ１で音声パケットに変換されて発呼元のコンピュータ端末５０ａに送られ、スピーカから拡声出力されて発呼者に通知される。
【００４４】
さて、この状態で着呼先のディジタル電話機１４ａにおいてユーザがオフフックして応答すると、構内交換機１０のタイムスイッチ２６は上記着呼先のディジタル電話機１４ａと発呼元のコンピュータ端末５０ａが接続された通話路ハイウェイＨＷ１とを接続する。したがって、以後コンピュータ端末５０ａと着呼先のディジタル電話機１４ａとの間では、ＬＡＮ４２ａ、回線／パケット変換器ＣＶ１、通話路ハイウェイＨＷ１、構内交換機１０のタイムスイッチ２６、およびＩＤＳＮ内線トランク２２ａ、ＩＳＤＮ内線を経由して、音声データの双方向伝送が可能となる。すなわち音声データは、通話路ハイウェイという高速伝送路からなる伝送路を介して伝送されることになる。
【００４５】
通話が終了して例えばディジタル電話機１４ａで切断処理が行なわれると、ディジタル電話機１４ａからは切断信号が出力される。この切断信号を受け取るとＣＰＵ２８は、図３に示したような該当する変換器の接続状況表の対応するタイムスロットの接続欄に記載されている発呼端末のＩＰ／ポートアドレスを消去して（ＮＯＮＥを記入）タイムスイッチ２６を解放し、かつコンピュータ端末５０ａが接続された通話路ハイウェイのタイムスロット（ＨＷ１のタイムスロットＴＳ００）へビジー音を送出する。これに応答して、コンピュータ端末５０ａから、ＬＡＮ４２ａを介してＱ９３１相当の切断パケットを受けとると、回線／パケット変換器ＣＶ１に通話路ハイウェイＨＷ１の切断を指示して、通話路ハイウェイＨＷ１とＬＡＮ４２ａの間のデータ変換を停止させる。
【００４６】
コンピュータ端末５０ａで切断処理が行なわれた場合にも同様に、回線／パケット変換器ＣＶ１のデータ変換を停止させて通話路ハイウェイＨＷ１の切断を行なう。
【００４７】
以上は、コンピュータ端末５０ａから内線電話機１４ａに対して発呼し、両者間で音声通信を行う場合を説明したが、次に、この反対に、ＩＳＤＮ内線に接続された電話機１４ａからＬＡＮ４２ａに接続されているコンピュータ端末５０ａに対して発呼し、両者間で音声通信を行なう場合を説明する。
【００４８】
ＣＰＵ２８は表１から着呼先端末５０ａの音声通信のポートアドレス（Ａ．Ｂ．Ｃ．Ｄ１／ＵＤＰ１）を検索し、表３から収納されている変換器（ＣＶ１，ＣＶ２）を検索する。そして、着呼先のコンピュータ端末５０ａへは、Ｑ９３１相当の着呼パケットを変換器（ＣＶ１）２４ａ内のＬＡＮドライバ７４、ＬＡＮインターフェース３０ａ、ＬＡＮ４２ａを経由して通知する。
【００４９】
コンピュータ端末５０ａの応答後は、先に述べた端末から電話機への通話の場合と同様であり、表３の接続状況表に基づいて回線／パケット変換器ＣＶ１，ＣＶ２に対してデータの変換を指示し、以後通話が可能となる。
【００５０】
以上の説明は、音声通信の場合を例にとったが、音声通信だけでなくファクシミリ装置による画像データの通信やモデムを用いたデータ通信についても、その呼の種類に応じて回線／パケット変換器ＣＶ１，ＣＶ２，…に備えてあるＧ３ＦＡＸベアラ回路７０、およびモデムベアラ回路６８（に対応するタイムスロット）を選択することによって、同様に実現できる。
【００５１】
以上述べたように第１の実施形態では、コンピュータ端末５０ａ，５０ｂ，…が接続されたＬＡＮ４２ａ，４２ｂ，…を回線／パケット変換器ＣＶ１，ＣＶ２，…を介して通話路ハイウェイＨＷ１，ＨＷ２，…に接続し、コンピュータ端末５０ａ，５０ｂ，…の発呼および着呼時に呼制御情報をＬＡＮを経由して構内交換機１０のＣＰＵ２８との間で伝送することにより、コンピュータ端末５０ａ，５０ｂ，…と構内交換機１０との間に上記ＬＡＮ４２ａ，４２ｂ，…、回線／パケット変換器ＣＶ１，ＣＶ２，…および通話路ハイウェイＨＷ１，ＨＷ２，…を経由する通信路を設定し、以後コンピュータ端末５０ａ，５０ｂ，…と通信相手の端末との間のデータ伝送を上記通信路を介して行なうようにしている。
【００５２】
したがってこの第１の実施形態によれば、音声データなどのコンピュータ端末の伝送データは、通話路ハイウェイ等の高速伝送路により構成される伝送路を介して伝送されることになるため、ＬＡＮ上のコンピュータ端末がＬＡＮのみを介して直接に電話通信を行う場合に比べて、パケットの遅延や揺らぎの影響を極小化することができる。これによりＬＡＮに接続されたコンピュータ端末５０ａ，５０ｂ，…を用いて、音声通信やファクシミリ通信、モデム通信などの双方向通信をリアルタイム性を十分に保持したまま高品質に行なうことが可能となる。
【００５３】
また、この際、コンピュータ端末５０ａ，５０ｂ，…のデータ伝送は、ＬＡＮから変換器を介して行われるので、ルータやブリッジを介して他のＬＡＮを使うことがないので、ＬＡＮのトラッフィクが大きくなり、他のデータ通信に影響を与えることが無い。
【００５４】
さらに、各コンピュータ端末５０ａ，５０ｂ，…はＬＡＮに接続するだけでよく、ＩＳＤＮ内線などの他の通信回線を引き込む必要がない。このため、各コンピュータ端末５０ａ，５０ｂ，…にはＬＡＮインターフェースボードのみを設ければよく、ＩＳＤＮインターフェースボード等の別のインターフェースを組み込む必要がないので、コンピュータ端末５０ａ，５０ｂ，…の構成を簡単で小形なものにすることができ、またユーザの負担も軽減できる。
【００５５】
また、構内交換機１０についてみれば、タイムスイッチ２６から回線／パケット変換器ＣＶ１，ＣＶ２，…へは、複数のタイムスロットが時分割多重化された通話路ハイウェイＨＷ１，ＨＷ２，…を直接引き延ばすので、タイムスイッチ部２６側に特殊なインターフェースを必要としない。このため、従来各局線や各内線毎に設けられていた各種トランク回路やライン回路などのインターフェースカードが、通話路ハイウェイについては不要となり、この結果、構内交換機１０の回線インターフェース部を小形化することが可能となる。
【００５６】
さらに、各端末には機能（呼種類）毎に異なるポートアドレスが割り振られているので、同一の端末が同時に複数の種類の通信を行うことができる。また、同一の変換器に接続されている複数の端末が時分割多重的に同時に通信を行うこともできる。
【００５７】
次に本発明の他の実施形態を説明する。以下の実施形態で第１実施形態と対応する部分は同一参照数字を付して詳細な説明は省略する。
（第２実施形態）
第１実施形態では、コンピュータネットワーク１６に近い位置に構内交換機１０が配置されているので、ＰＢＸ１０のＣＰＵ２８が変換器２４も制御でき、回線／パケット変換器２４、ＬＡＮインターフェース３０が交換機１０の筐体内に収納可能であったが、コンピュータネットワーク１６と構内交換機１０が離れている場合を第２実施形態として説明する。図１０は第２実施形態の全体を概略的に示す図であり、第１実施形態の図１に対応する図である。図１１は第２実施形態のコンピュータネットワークの部分の詳細なブロック図であり、第１実施形態の図３に対応する図である。第２実施形態の公衆網の部分の構成は第１実施形態と同様であり、図２と同じである。
【００５８】
図１０に示すように、構内交換機２１０は交換機能を実現するタイムスイッチ２６と、公衆網１２に接続される加入者線トランク２０と、内線端末１４に接続される内線トランク２２と、コンピュータネットワーク１６に接続されるリピータ２１２と、コンピュータネットワーク１６に接続されるＬＡＮインターフェース２２０と、ＣＰＵ（ＲＯＭ，ＲＡＭを内蔵する）２８とを有する。ＣＰＵ２８のＲＯＭには前述した表１、表２、及び表３の代わりに後述する表４が格納される。
【００５９】
リピータ２１２は通話路ハイウェイを介してタイムスイッチ２６に接続される一方、通話路ハイウェイを介してコンピュータネットワーク１６の近傍に配置されるリピータ２１４を介して回線／パケット変換器２１６に接続される。回線／パケット変換器２１６にはＣＰＵ（ＲＯＭ，ＲＡＭを内蔵する）２１８が接続される。ＣＰＵ２１８のＲＯＭには後述する表５が格納される。回線／パケット変換器２１６はＬＡＮインターフェース３０を介してコンピュータネットワーク１６に接続される。コンピュータネットワーク１６はＰＢＸ２１０内のＬＡＮインターフェース２２０にも接続される。
【００６０】
図１１は図１０のコンピュータネットワークの部分を詳細に示す図である。コンピュータネットワーク１６はインターネット４６と、このインターネット４６にそれぞれルータ・ゲートウエイ４４を介して接続される複数のＬＡＮ（イントラネット）４２と、インターネット４６にルータ・ゲートウエイ２２４を介して接続される制御パケット伝送用のＬＡＮ（イントラネット）２２６からなる。ＬＡＮ２２６はＰＢＸ２１０のＬＡＮインターフェース２２０を介してＣＰＵ２８に接続される。
【００６１】
第１実施形態と同様に、各ＬＡＮ４２には複数のコンピュータ端末（パーソナルコンピュータ、ワークステーション等）５０が接続される。ＬＡＮ４２はＬＡＮインターフェース３０を介して回線／パケット変換器２１６に接続される。回線／パケット変換器２１６はリピータ２１４、通話路ハイウェイ、リピータ２１２、通話路ハイウェイを介してタイムスイッチ２６に接続される。
【００６２】
図１２は１つの回線／パケット変換器２１６ｉの詳細を示すブロック図である。タイムスイッチ２６に接続される２Ｍｂｐｓの通話路ハイウェイ（タイムスロットＴＳ００〜ＴＳ３１からなる）がリピータ２１４ｉを介して集線スイッチ２３０に接続される。集線スイッチ２３０は呼種別毎のマルチプレクサ／デマルチプレクサ２３２ａ〜２３２ｆに接続され、２Ｍｂｐｓの通話路ハイウェイを各マルチプレクサ／デマルチプレクサ２３２ａ〜２３２ｆに振り分ける。説明の便宜上、マルチプレクサ／デマルチプレクサ２３２ａのタイムスロットをＴＳ０００〜ＴＳ０３１とし、マルチプレクサ／デマルチプレクサ２３２ｂのタイムスロットをＴＳ０３２〜ＴＳ０６３とし、マルチプレクサ／デマルチプレクサ２３２ｃのタイムスロットをＴＳ０６４〜ＴＳ０９５とし、マルチプレクサ／デマルチプレクサ２３２ｄのタイムスロットをＴＳ０９６〜ＴＳ１２７とし、マルチプレクサ／デマルチプレクサ２３２ｅのタイムスロットをＴＳ１２８〜ＴＳ１５９とし、マルチプレクサ／デマルチプレクサ２３２ｆのタイムスロットをＴＳ１６０〜ＴＳ１９１とする。
【００６３】
マルチプレクサ／デマルチプレクサ２３２ａ〜２３２ｅは通話路ハイウェイから供給される２Ｍｂｐｓのデータを各６４ｋｂｐｓの３２のタイムスロットのデータに分離する。しかし、各マルチプレクサ／デマルチプレクサ２３２ａ〜２３２ｅが全て３２チャネルのデータを使用する必要はない。各機能の使用頻度に応じたチャネルだけ使用（ベアラ回路を接続）すればよい。すなわち、音声ベアラ用のマルチプレクサ／デマルチプレクサ２３２ａはＴＳ０００〜ＴＳ０１５の１６チャネルが、Ｖ．１１０データベアラ用のマルチプレクサ／デマルチプレクサ２３２ｂはＴＳ０３２〜ＴＳ０３９の８チャネルが、ＰＨＳデータベアラ用のマルチプレクサ／デマルチプレクサ２３２ｃはＴＳ０６４〜ＴＳ０７１の８チャネルが、モデムデータベアラ用のマルチプレクサ／デマルチプレクサ２３２ｄはＴＳ０９６〜ＴＳ１０３の８チャネルが、Ｇ３ファクスデータベアラ用のマルチプレクサ／デマルチプレクサ２３２ｅはＴＳ１２８〜ＴＳ１３５の８チャネルが、ＬＡＰＢ  Ｇ４ファクスデータベアラ用のマルチプレクサ／デマルチプレクサ２３２ｆはＴＳ１６０〜ＴＳ１６７の８チャネルだけが使用される。このため、マルチプレクサ／デマルチプレクサ２３２ａには１６個の音声ベアラ回路２３４が、マルチプレクサ／デマルチプレクサ２３２ｂには８個のＶ．１１０データベアラ回路２３６が、マルチプレクサ／デマルチプレクサ２３２ｃには８個のＰＨＳデータベアラ回路２３８が、マルチプレクサ／デマルチプレクサ２３２ｄには８個のモデムデータベアラ回路２４０が、マルチプレクサ／デマルチプレクサ２３２ｅには８個のＧ３ファクスデータベアラ回路２４２が、マルチプレクサ／デマルチプレクサ２３２ｆには８個のＧ４ファクスデータベアラ回路２４４が接続される。
【００６４】
これらのベアラ回路２３４、２３６、２３８、２４０、２４２、２４４は第１実施形態のベアラ回路６２、６４、６６、６８、７０、７２と同一である。ベアラ回路２３４、２３６、２３８、２４０、２４２、２４４はＬＡＮドライバ２４６に接続され、パケットに宛先ヘッダ等が付加されてＬＡＮインターフェース３０ｉに供給される。
【００６５】
第２実施形態の動作を説明する。ここでは、ＩＳＤＮ内線に接続された電話機１４ａがコンピュータ端末５０ａに対して発呼し、両者間で音声通信を行なう場合を先ず説明する。
【００６６】
電話機１４ａにおいてユーザが発呼操作を行なうと、発呼元の電話番号と宛先の電話番号と呼種類を示す情報を有する発呼パケットがＰＢＸ１０のＣＰＵ２８に供給される。
【００６７】
ＣＰＵ２８は、第１実施形態と同様に表１を用いて着呼先端末のＩＰアドレス／ポートアドレスを検索し、表２を用いてこのＩＰアドレスが収納されている回線／パケット変換器を検索する。すなわち、表１から内線番号３０１のコンピュータ端末５０ａへの音声着信はＡ．Ｂ．Ｃ．Ｄ１／ＵＤＰ１へ接続することを知り、表２からＡ．Ｂ．Ｃ．Ｄ１／ＵＤＰ１はＣＶ１、あるいはＣＶ２を利用することを知る。
また、ＣＰＵ２８は、表４に示すような各回線／パケット変換器の通話路ハイウェイ毎の接続状況表を有している。
【００６８】
【表４】
0003614991.tif 000005
【００６９】
変換器ＣＶ１のタイムスロットのうち空いているスロット（ここでは、ＴＳ００）を使うことを決め、表４のタイムスロットの呼種別欄に種別（音声通信）を記入する。
【００７０】
ＣＰＵ２８は変換器ＣＶ１に対して、タイムスロットＴＳ００を使って、Ａ．Ｂ．Ｃ．Ｄ１／ＵＤＰ１に対して６４ｋ  ｂｐｓＡＵＤＩＯの接続を指示する。表４は変換器ＣＶ１のタイムスロットＴＳ０１を使って、Ａ．Ｂ．Ｃ．Ｄ１／ＴＣＰ１に対してＶ．１１０データ通信を行っていることを示している。
【００７１】
上述したように、変換器は集線スイッチ２３０を有し、通話路ハイウェイのタイムスロットＴＳ００〜ＴＳ３１を変換器内部のタイムスロットＴＳ０００〜ＴＳ１９１に振り分けているので、変換器ＣＶ１のＣＰＵ２１８は表５に示すような集線スイッチの接続状況表を記憶しており、６４ｋｂｐｓＡＵＤＩＯが接続されている変換器内のタイムスロットのうちの空いているタイムスロット（ここではＴＳ０００）を通話路ハイウェイのタイムスロットＴＳ００と接続するように集線スイッチ２３０を制御する。接続すると、表５の接続の欄にコンピュータ端末５０ａのＩＰ／ポートアドレスを記入する。
【００７２】
【表５】
0003614991.tif 000006
【００７３】
表５は、変換器ＣＶ１はタイムスロットＴＳ００をマルチプレクサ／デマルチプレクサ２３２ａのタイムスロットＴＳ０００を介して音声ベアラ回路２３４と接続し、タイムスロットＴＳ０１をマルチプレクサ／デマルチプレクサ２３２ｂのタイムスロットＴＳ０３２を介してＶ．１１０ベアラ回路２３６と接続することを示す。
【００７４】
このように集線スイッチ２３０を接続した後は、第１実施形態と同様に電話機１４ａとコンピュータ端末５０ａが変換器ＣＶ１を介して接続される。コンピュータ端末５０ａから電話機１４ａに発呼する場合も、集線スイッチ２３０の接続制御以外は第１実施形態と同様である。
【００７５】
このように第２実施形態によれば、交換機２１０とコンピュータネットワーク１６が遠距離にあっても、通話路ハイウェイとコンピュータネットワークを接続することができ、第１実施形態と同様の効果を呈することができる。
【００７６】
（第３実施形態）
第２実施形態の変形例であり、全体の概略を図１３に示す。回線／パケット変換器２１６がリピータ２１４、２１２を介してＰＢＸ１０内のタイムスイッチ２６に接続され、ＰＢＸのＣＰＵ２８と変換器のＣＰＵ２１８が別々である点は第２実施形態と同じであるが、呼制御パケット伝送用の専用ＬＡＮ２２６を設けることはせずに、呼制御パケットも通信データと同じＬＡＮを介してコンピュータネットワーク１６とＰＢＸ１０とを通信されている点が第２実施形態と異なる。このため、ＰＢＸ１０内にも制御パケット用の回線／パケット変換器２５２が設けられている。
【００７７】
ＰＢＸ２５０内の回線／パケット変換器２５２の詳細を図１４に示す。変換器２５２はタイムスイッチ２６からの通話路ハイウェイに接続されるマルチプレクサ／デマルチプレクサ２６２と、マルチプレクサ／デマルチプレクサ２６２のタイムスロットＴＳ０８〜ＴＳ１５に接続されるＶ．１１０ベアラ回路２６４と、Ｖ．１１０ベアラ回路２６４とＣＰＵ２８との間に接続されるインターフェース２６６とからなる。変換器２５２はＣＰＵ２８からのパケットデータの形の呼制御パケットを回線データの形の呼制御情報に変換して通話路ハイウェイに送り出すとともに、通話路ハイウェイからの回線データの形の呼制御情報を呼制御パケットに変換してＣＰＵ２８に送り出す。このように、呼制御パケットが通信データと同じＬＡＮを経由して、変換器、通話路ハイウェイを介してＰＢＸ２５０内のＣＰＵ２８に入る点を除いて、第３実施形態は第２実施形態と同じである。
【００７８】
このように、第３実施形態によれば、コンピュータネットワーク１６と構内交換機２５０が離れていても、コンピュータネットワーク１６と構内交換機２５０とを通話路ハイウェイだけで接続できる利点がある。
【００７９】
（第４実施形態）
次に、第４実施形態として、小容量の構内交換機やボタン電話装置を使用したシステムにこの発明を適用した実施形態を説明する。図１５はその構成の一例を示す概略図である。
【００８０】
この第２の実施形態では、回線／パケット変換器は、ＩＳＤＮターミナルアダプタＴＡの一部の機能として実現される。すなわち、ＩＳＤＮターミナルアダプタＴＡの中には、上述した第１〜第３実施形態において述べた回線／パケット変換器ＣＶ１，ＣＶ２，…の機能およびＣＰＵ２８、２１８の機能が設けられる。
【００８１】
このＩＳＤＮターミナルアダプタＴＡは、例えばＩＳＤＮの一次群インターフェース回線を使用したＩＳＤＮ局線４００を介してＩＳＤＮの公衆網（ＰＳＴＮ）４０２に接続され、このＰＳＴＮを介して他の電話機ＴＥＬやＧ４ファクシミリ装置ＦＡＸ、その他の通信端末に接続される。また、公衆網４０２を経由して図示していない他のコンピュータネットワーク等にも接続される。ＩＳＤＮターミナルアダプタＴＡはまたＩＳＤＮルータとしての役割も備えている。
【００８２】
一方、ＩＳＤＮターミナルアダプタＴＡは、ＬＡＮ４０４を介してパーソナルコンピュータやワークステーションなどからなるコンピュータ端末４０６ａ，４０６ｂ，…に接続される。これらのコンピュータ端末４０６ａ，４０６ｂには、音声通信のためのマイクロフォンとスピーカが設けられ、さらにテレビジョン会議などのために表示部が設けられる。また、コンピュータ端末４０６ａ，４０６ｂには、それぞれ上記音声通信やテレビジョン会議通信を行なうために必要な回線交換系端末としての種々制御機能が備えられている。
【００８３】
また、ＩＳＤＮターミナルアダプタＴＡには、音声データパケットの変換を行なうＢチャネル変換部４０８と、呼制御パケットの変換を行なうＤチャネル呼制御部４１０が備えられている。Ｄチャネル呼制御部４０８では、コンピュータ端末４０６ａ，４０６ｂに係わる呼が発生した場合に、呼制御パケットの解析や変換等が行なわれ、これによりコンピュータ端末４０６ａ，４０６ｂと公衆網４０２との間の通信路の接続が行なわれる。Ｂチャネル変換部４０８では、コンピュータ端末４０６ａ，４０６ｂに係わる呼が発生した場合に、その呼種別に応じて回線／パケット変換機能が選択され、これによりＩＳＤＮ局線とＬＡＮとの間のデータの変換接続が行なわれる。
【００８４】
このようなシステムにおいても、上述した第１〜第３実施形態と同様に、各コンピュータ端末４０６ａ，４０６ｂはＩＳＤＮ局線４００を用いて高品質の音声通信や画像通信を行なうことができ、しかも各コンピュータ端末４０６ａ，４０６ｂにはＩＳＤＮ回線を引き込む必要がなくそのためのインターフェースボードも不要にできるので、コンピュータ端末４０６ａ，４０６ｂの簡単化、小形化および低価格化を実現できる。
【００８５】
なお、この発明は上記各実施形態に限定されるものではなく、例えばＬＡＮおよび通話路ハイウェイの種類や構成、回線／パケット変換器の構成や設置位置、構内交換機の構成、コンピュータ端末の種類やその機能などについても、この発明の要旨を逸脱しない範囲で種々変形して実施できることは言うまでもない。例えば、第１実施形態においても呼種別毎にマルチプレクサ／デマルチプレクサを設けて、通話路ハイウェイと複数のマルチプレクサ／デマルチプレクサとの間に集線スイッチを設けてもよい。
【００８６】
【発明の効果】
以上詳述したように本発明によれば、コンピュータ端末が接続されたコンピュータネットワークを回線／パケット変換器を介して交換機の通話路ハイウェイに接続し、コンピュータ端末に係わる呼設定時に、コンピュータ端末と構内交換器との間に上記コンピュータネットワーク、回線／パケット変換器および通話路ハイウェイを経由する通信路を設定し、以後コンピュータ端末と通信相手の端末との間のデータ伝送は上記通信路を介して行なわれる。したがって、コンピュータ端末にＬＡＮ等のコンピュータネットワーク以外の回線を引き込む必要がなく簡単な構成で、しかも伝送距離によらず高品質のリアルタイム通信を行なうことができる構内通信システムを提供することができる。
【００８７】
さらに、コンピュータ端末はコンピュータネットワークに接続するだけでよく、公衆網のＩＳＤＮ回線などの他の通信回線を引き込む必要がない。このため、コンピュータ端末には、ＬＡＮ用のインターフェース以外にＩＳＤＮインターフェースボード等を設ける必要がなく、これによりコンピュータ端末の簡単小形化を図ることができ、またユーザの経済的負担を軽減することができる。
【図面の簡単な説明】
【図１】本発明による通信システムの第１実施形態の概略を示すブロック図。
【図２】図１の公衆網に関する部分の詳細なブロック図。
【図３】図１のコンピュータネットワークに関する部分の詳細なブロック図。
【図４】図１の回線／パケット変換器の詳細な構成を示すブロック図。
【図５】回線／パケット変換器の動作を示すタイミングチャート。
【図６】回線／パケット変換器の中の音声ベアラ回路のブロック図。
【図７】回線／パケット変換器の中のモデム・Ｇ３ファックスベアラ回路のブロッ図。
【図８】第１実施形態のＬＡＮ上のパケットデータのフォーマットを示す図。
【図９】第１実施形態のパーソナルコンピュータの詳細な構成を示すブロック図。
【図１０】本発明による通信システムの第２実施形態の概略を示すブロック図。
【図１１】図１０のコンピュータネットワークに関する部分の詳細なブロック図。
【図１２】図。１０の回線／パケット変換器の詳細な構成を示すブロック図。
【図１３】本発明による通信システムの第３実施形態の概略を示すブロック図。
【図１４】図１３の構内交換機中の回線／パケット変換器の詳細な構成を示すブロック図。
【図１５】本発明による通信システムの第４実施形態の概略を示すブロック図。
【符号の説明】
１０…構内交換機
１２…公衆網
１４…内線端末
１６…コンピュータネットワーク
２０…局線トランク
２２…内線トランク
２４…回線／パケット変換器
２６…タイムスイッチ
２８…ＣＰＵ
３０…ＬＡＮインターフェース
【図１】
0003614991.tif 000007
【図２】
0003614991.tif 000008
【図３】
0003614991.tif 000009
【図４】
0003614991.tif 000010
【図５】
0003614991.tif 000011
【図６】
0003614991.tif 000012
【図７】
0003614991.tif 000013
【図８】
0003614991.tif 000014
【図９】
0003614991.tif 000015
【図１０】
0003614991.tif 000016
【図１１】
0003614991.tif 000017
【図１２】
0003614991.tif 000018
【図１３】
0003614991.tif 000019
【図１４】
0003614991.tif 000020
【図１５】
0003614991.tif 000021